(57)【要約】【課題】毛筆文字の学習者に効果的な毛筆学習を提供すること。【解決手段】ユーザ３が指示入力装置２１から学習モードを設定すると、手本設定部３３は、手本データベースから指示された手本データ及びその筆パラメータを設定し、登録されている手本毛筆文字データを表示装置４１に表示する。運筆が開始されると、運筆パラメータ入力装置２３は、時間毎の運筆パラメータを読み込み、パソコン５の毛筆文字処理部３５及び運筆表現処理部３７に入力する。毛筆文字処理部３５は毛筆文字を逐次生成し、表示装置４１に表示する。運筆が終了したら、運筆表現処理部３７は運筆表現データを作成し、比較処理部３９は手本運筆表現データと比較し、表示装置４１に表示する。【選択図】  図１
2004205963.tif 000002
【特許請求の範囲】
【請求項１】
筆に設けられた３次元位置センサと、
前記３次元位置センサに接続されたコンピュータと、
を具備し、
前記コンピュータは、
前記筆の筆パラメータを登録する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
を具備することを特徴とする書道学習支援システム。
【請求項２】
前記毛筆文字データ、前記運筆表現データ、及び前記筆パラメータを保持する手段を更に具備することを特徴とする請求項１記載の書道学習支援システム。
【請求項３】
筆に設けられた３次元位置センサと、
前記３次元位置センサに接続されたコンピュータと、
を具備し、
前記コンピュータは、
手本毛筆文字データと手本運筆表現データと筆パラメータを設定する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
前記手本毛筆文字データと前記毛筆文字データ、および、前記手本運筆表現データと前記運筆表現データ、を比較する手段と、
を具備することを特徴とする書道学習支援システム。
【請求項４】
筆に設けられた３次元位置センサに接続されたコンピュータであって
前記筆の筆パラメータを登録する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
して動作することを特徴とするコンピュータ。
【請求項５】
筆に設けられた３次元位置センサに接続されたコンピュータであって、
手本毛筆文字データと手本運筆表現データと筆パラメータを設定する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
前記手本毛筆文字データと前記毛筆文字データ、および、前記手本運筆表現データと前記運筆表現データ、を比較する手段と、
して動作することを特徴とするコンピュータ。
【請求項６】
筆に設けられた３次元位置センサに接続されたコンピュータを、
前記筆の筆パラメータを登録する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
して動作させるためのプログラム。
【請求項７】
筆に設けられた３次元位置センサに接続されたコンピュータを、
手本毛筆文字データと手本運筆表現データと筆パラメータを設定する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
前記手本毛筆文字データと前記毛筆文字データ、および、前記手本運筆表現データと前記運筆表現データ、を比較する手段と、
して動作させるためのプログラム。
【請求項８】
筆に設けられた３次元位置センサに接続されたコンピュータを、
前記筆の筆パラメータを登録する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
して動作させるためのプログラムを記録する記録媒体。
【請求項９】
筆に設けられた３次元位置センサに接続されたコンピュータを、
手本毛筆文字データと手本運筆表現データと筆パラメータを設定する手段と、
前記３次元位置センサから時間毎の運筆パラメータを取得する手段と、
前記筆パラメータと前記運筆パラメータから毛筆文字データを生成する手段と、
前記運筆パラメータから運筆表現データを生成する手段と、
前記手本毛筆文字データと前記毛筆文字データ、および、前記手本運筆表現データと前記運筆表現データ、を比較する手段と、
して動作させるためのプログラムを記録した記録媒体。
【発明の詳細な説明】
【０００１】
【発明の属する技術分野】
本発明は、コンピュータを用いて書道学習を支援する書道学習支援システムに関するものである。
【０００２】
【従来の技術】
書道は、筆の毛に墨を含ませ半紙などの紙に文字を書き、墨の量に応じて紙ににじみやかすれを伴いながら文字を表現するものである。書道による毛筆文字の表現を学習するに当たり、紙に描いた文字の添削を受ける、師範に運筆の補助をしてもらうことにより運筆方法を体感するなどの方法がある。
また、近年ではコンピュータシステムの発達により、マウスやタブレットのペンを用いて太さを持たない文字を書く事により毛筆文字を発生させ、その運筆動作、例えば、マウスやペンの位置、早さ、形状、かすれ、にじみ等を評価することが可能なシステムも開発されつつある（例えば特許文献１参照）
【０００３】
【特許文献１】
特公平６−７９３２４号公報
【０００４】
【発明が解決しようとする課題】
しかしながら、従来のように、書いた文字の添削を受けるのでは、書いた文字の形状の改善すべき点は認識できても、どのように改善したらよいかがわかりにくいという問題がある。また、師範による運筆の補助を受けるためには、空間的制約や時間的制約が多いといった問題がある。
また、マウスやペン入力による運筆動作の評価では、筆と墨を用いる実際の書道の動作とは環境が異なるため、本当の意味での書道の学習にならないと言った問題がある。
【０００５】
本発明は、このような問題を鑑みてなされたもので、その目的とするところは、実際の書道の筆と墨を用いて毛筆文字の形状及び運筆を効果的に学習することができる書道学習支援システム、コンピュータ、プログラム、及び記録媒体を提供することにある。
【０００６】
【課題を解決するための手段】
前述した目的を達成するための第１の発明は、筆に設けられた３次元位置センサと、前記３次元位置センサに接続されたコンピュータと、を具備し、前記コンピュータは、前記筆の筆パラメータを登録する手段と、前記３次元位置センサから時間毎の運筆パラメータを取得する手段と、前記筆パラメータと前記運筆パラメータから毛筆文字データを生成する手段と、前記運筆パラメータから運筆表現データを生成する手段と、を具備することを特徴とする書道学習支援システムである。
【０００７】
第１の発明は、習字の師範などが利用することにより、習字を学習するための手本となる手本データを登録するためのものである。ここで、筆パラメータとは筆の毛の柔らかさ、筆の毛の長さ、筆の柄の長さ、筆に含まれる墨量等である。運筆パラメータとは、筆の位置や傾きである。毛筆文字データとは毛筆文字の形状やかすれ、にじみ等である。運筆表現データとは筆全体の軌道、傾き等を示す。尚、第１の発明において生成された毛筆文字データや運筆表現データ、及び筆パラメータは手本データベースに保持される。
【０００８】
第２の発明は、筆に設けられた３次元位置センサと、前記３次元位置センサに接続されたコンピュータと、を具備し、前記コンピュータは、手本毛筆文字データと手本運筆表現データと筆パラメータを設定する手段と、前記３次元位置センサから時間毎の運筆パラメータを取得する手段と、前記筆パラメータと前記運筆パラメータから毛筆文字データを生成する手段と、前記運筆パラメータから運筆表現データを生成する手段と、前記手本毛筆文字データと前記毛筆文字データ、および、前記手本運筆表現データと前記運筆表現データ、を比較する手段と、を具備することを特徴とする書道学習支援システムである。
【０００９】
第２の発明は、学習者によって利用され、登録された手本毛筆文字データと手本運筆表現データと、学習者が運筆することによって生成された毛筆文字データと運筆表現データとを比較することによって効果的な書道学習を行うことができる。
【００１０】
第３の発明は、筆に設けられた３次元位置センサに接続されたコンピュータであって前記筆の筆パラメータを登録する手段と、前記３次元位置センサから時間毎の運筆パラメータを取得する手段と、前記筆パラメータと前記運筆パラメータから毛筆文字データを生成する手段と、前記運筆パラメータから運筆表現データを生成する手段として動作することを特徴とするコンピュータである。
【００１１】
第４の発明は、筆に設けられた３次元位置センサに接続されたコンピュータであって、手本毛筆文字データと手本運筆表現データと筆パラメータを設定する手段と、前記３次元位置センサから時間毎の運筆パラメータを取得する手段と、前記筆パラメータと前記運筆パラメータから毛筆文字データを生成する手段と、前記運筆パラメータから運筆表現データを生成する手段と、前記手本毛筆文字データと前記毛筆文字データ、および、前記手本運筆表現データと前記運筆表現データ、を比較する手段と、して動作することを特徴とするコンピュータである。
【００１２】
第５の発明は、コンピュータを第３の発明となるコンピュータとして動作させるためのプログラムであり、第６の発明はそのプログラムを記録した記録媒体である。
第７の発明は、コンピュータを第４の発明となるコンピュータとして動作させるためのプログラムであり、第８の発明はそのプログラムを記録した記録媒体である。
【００１３】
【発明の実施の形態】
以下、図面に基づいて本発明の実施の形態を詳細に説明する。図１は、本実施の形態に係る書道学習支援システム１の概略構成図である。図２は、書道学習支援システム１のハード構成例を示す図である。
【００１４】
図１に示す書道学習支援システム１は、指示入力装置２１、運筆パラメータ入力装置２３、手本データベース２５、書道処理装置３１、表示装置４１等から構成される。図２に示すハード構成例では、ユーザ３が硯１８に入った墨を筆９に含ませて実際に半紙１６に文字を描くものである。
【００１５】
本システムの動作モードは主に２つある。ひとつは手本登録モードであり、師範により書かれた手本となる毛筆文字に関するデータを取得、登録するモードである。もうひとつは、学習モードであり、学習者が登録された手本データを参照して毛筆文字を書き、手本との比較を行うことによって毛筆文字を学習するモードである。両者のモードの動作に関しては後ほど詳細に説明する。
【００１６】
指示入力装置２１は、書道処理装置３１に対する指示を入力する装置であり、図２に示すキーボード１０或いはマウス１２に相当する。運筆パラメータ入力装置２３は、ユーザ３が用いる筆９に設けられた３次元位置センサ１１及び３次元位置読取装置１３であり、筆９の動きを追跡し、逐次運筆パラメータを取得し書道処理装置３１に入力する装置である。
【００１７】
ここで、運筆パラメータとは、筆の位置、筆の傾きを示す。例えば、筆９に設置された３次元位置センサ１１は、６自由度を持ち、点の３次元位置及び傾きのデータを得ることができる。３次元位置センサ１１によって読み込まれた位置情報は、ケーブル１５を介して３次元読取装置１３に送られ、３次元読取装置１３は筆の位置や傾き、即ち運筆パラメータを取得し、パソコン５に出力する。
【００１８】
手本データベース２５は、手本登録モードにおいて師範等によって登録された手本データを格納するデータベースである。手本データは手本毛筆文字データと手本運筆表現データである。手本データの登録に関しては後で詳細に説明する。この手本データはパソコン５に格納されても良いし、パソコン５が接続するネットワーク上に置かれて配布されてもよい。また、ＣＤ−ＲＯＭやＤＶＤといった記録媒体に記録されてユーザ３に配布されてもよい。
【００１９】
例えば、学習モードでは、図２に示すように、学習する文字「大」の手本毛筆文字データを読み出し、プリンタ１９によって出力し、それを手本にして半紙１６に文字を書いてもよい。
【００２０】
書道処理装置３１は図２に示すパソコン５に相当し、手本設定部３３、毛筆文字処理部３５、運筆表現処理部３７、比較処理部３９等から構成される。手本設定部３３は、指示入力装置２１よりユーザ３によって毛筆文字の学習モードが選択され、学習したい文字が指定された場合、その文字の手本データを手本データベース２５から読み出し、手本となる毛筆文字を表示装置４１に出力し、表示させる。尚、手本登録モードでは手本データは出力されない。ここで、表示装置４１は例えばパソコン５に接続されたディスプレイ１７である。
【００２１】
毛筆文字処理部３５は、指示入力装置２１より入力される筆パラメータと運筆パラメータ入力装置２３により入力される運筆パラメータをあわせて毛筆文字データを生成する。毛筆文字データは毛筆文字の形状、かすれやにじみ等である。学習モードでは比較処理部３９にユーザ３の毛筆文字データを出力する。手本登録モードでは、手本毛筆文字データとして手本データベース２５に登録する。
【００２２】
運筆表現処理部３７は、運筆パラメータ入力装置２３により入力される運筆パラメータから運筆表現データを生成する。運筆表現データとは筆の軌道、傾き等である。学習モードでは、運筆表現処理部３７は比較処理部３９に運筆表現データを出力する。手本登録モードでは、運筆表現処理部３７は運筆表現データを手本運筆表現データとして手本データベース２５に登録する。
【００２３】
比較処理部３９は、学習モードにおいて手本設定部３３から出力された手本データ、毛筆文字処理部３５から出力されたユーザ毛筆文字データ、運筆表現処理部３７から出力されたユーザ運筆データを比較し、比較結果を表示装置４１に出力する。
【００２４】
表示部４１は、手本毛筆文字データの表示、ユーザ３が文字を各動作をしている際の毛筆文字のリアルタイム表示、ユーザ３が文字を書き終えた時の比較結果表示を行う。図２に示すディスプレイ１７やプリンタ１９が表示部４１に相当する。
【００２５】
次に、本システム１の動作について説明する。図３は手本登録処理の概略を示すフローチャートである。この場合、ユーザ３は習字の師範等になる。ユーザ３は、指示入力装置２１から手本登録モードを設定し（ステップ１０１）、使用する筆９に関する筆パラメータを入力する（ステップ１０２）。
【００２６】
次に、ユーザ３は筆９を用いて運筆を開始する（ステップ１０３）。このとき筆９に設けられた３次元位置センサ１１、即ち、運筆パラメータ入力装置２３は、時間毎の運筆パラメータを読み込み、パソコン５の毛筆文字処理部３５及び運筆表現処理部３７に入力する（ステップ１０４）。毛筆文字処理部３５は毛筆文字を逐次生成し、表示装置４１に表示する（ステップ１０５）。
【００２７】
次に、運筆が終了かどうかをユーザ３に確認し（ステップ１０６）、まだ文字生成の途中である場合、或いは複数の文字を書くなどといった場合にはステップ１０４に戻り、運筆がすべて終了するまで動作を繰り返す。
【００２８】
運筆がすべて終了した場合、毛筆文字処理部３５は生成された毛筆文字データを手本データベース２５に登録する（ステップ１０７）。運筆表現処理部３７は運筆表現データを作成し、手本データベース２５に登録する（ステップ１０８）。
手本データベースを更に追加登録したい場合（ステップ１０９）、ステップ１０２に戻って登録動作を行う。追加登録がない場合は処理を終了する。
【００２９】
以下、各ステップについて詳細に説明する。
（ステップ１０１、ステップ１０２）
ユーザ３は、図２に示すキーボード１０やマウス１２を用いてメニューを選択するなどして手本登録モードを設定する。そして、ユーザ３は、手本となる毛筆文字を書くのに使用する筆９の筆パラメータをキーボード１０やマウス１２等の指示入力装置２１から入力する。
【００３０】
図４に筆パラメータの項目を示す。筆パラメータには、「筆の毛の柔らかさ」、「筆の毛の長さ」、「筆の柄の長さ」、「筆に含まれる墨量」等がある。この場合、使用する筆９の「筆の毛の柔らかさ」、「筆の毛の長さ」、「筆の柄の長さ」、「筆に含まれる墨量」等が入力され、それらは手本データベース２５に登録されるとともに、毛筆文字処理部３５に入力される。
【００３１】
（ステップ１０３〜ステップ１０６）
ユーザ３は指示入力装置２１を用いて運筆開始を書道処理装置３１に通知して、運筆を開始する。図５は運筆開始の例を示す図である。図５に示すように、運筆開始は半紙１６に筆９の筆先がついた時点、位置とする。筆９には運筆パラメータ入力装置２３である３次元位置センサ１１が設けられる。
【００３２】
３次元位置センサ１１は、運筆開始地点を原点に取り、ユーザが運筆を進めると、時間毎の運筆パラメータ、即ち筆の傾きや位置のデータを取得し、毛筆文字処理部３５及び運筆表現処理部３７に出力する。
【００３３】
毛筆文字処理部３５は、指示入力装置２１から入力される筆パラメータ、及び、運筆パラメータ入力装置２３から逐次入力される運筆パラメータから筆に含まれた墨により紙が黒く塗りつぶされる領域を計算する。図６、図７は毛筆文字処理部３５による毛筆文字の領域算出の説明図である。図６に示すように、筆９と半紙１６の接触面は雫形で近似されるものとする。毛筆文字処理部３５は、運筆パラメータ入力装置２３によって微少時間ごとに取得される筆９の位置から図６に示す雫形を移動させ、塗りつぶされる領域を算出する。
【００３４】
また、毛筆文字処理部３５は、運筆パラメータより雫の移動速度、筆圧を算出し、その移動速度と筆９の柔らかさ等から雫形の向きを決定し、筆の毛の長さ等の条件を考慮して筆圧と筆との傾きをパラメータとして雫形のスケーリングを行う（図７）。
【００３５】
さらに、毛筆文字処理部３５は、筆９に含まれる墨量と筆先の向きを考慮して、雫形の筆先側と腹側において毛筆文字特有のにじみ、かすれの有無を判定する。図８は、筆の墨量を表現する階層モデルを示す図である。図８に示す格子点９３−１、…、９３−５は墨量の重みの一部を示し、その値と位置によりにじみやかすれが筆のどの位置で起こるかということが算出される。
【００３６】
例えば、最初の筆パラメータにおける筆に含まれる墨量を初期値として、前述の雫形の向きから、最も腹側の６４×６４の格子点の重みが算出され、それを用いて穂先側の３２×３２の格子点の重みが算出され、それを用いて１６×１６の格子点の重みが算出され、更に穂先である８×８の格子点の重みが算出される。例えば、格子点９３−１、９３−２、９３−３、９３−４からは格子点９３−５の重みが算出される。
【００３７】
こうして筆先に向かって墨粒子が移動する様子をシミュレーションすることができ、ここで算出された各格子点の重み、即ち墨量が閾値を越えるか、超えないかによってにじみやかすれが生じるかどうかを判定する。
【００３８】
以上のようにして、毛筆文字処理部３５は逐次毛筆文字を生成し、表示装置４１に毛筆文字データを出力する。毛筆文字データとは、毛筆文字の形状、にじみ、かすれ等である。表示装置４１は毛筆文字を逐次表示する。即ち、ユーザ３は運筆しながら、リアルタイムで自分の描いた文字をディスプレイ１７で見ることができる。
以上の動作は、書道処理装置３１に対してユーザ３による運筆終了の通知がなされるまで繰り返し行われる。
【００３９】
（ステップ１０７、ステップ１０８）
登録すべき文字の運筆が全て終了したら、毛筆文字処理部３５によって生成された毛筆文字に関する毛筆文字データは手本データベース２５に手本毛筆文字データとして登録される。
【００４０】
運筆表現処理装置３７は、逐次入力された運筆パラメータから運筆表現データを作成する。運筆表現データはユーザ３に対して運筆をわかりやすく表現するためのデータであり、筆全体の軌道、傾きを示すデータである。作成された運筆表現データは、手本運筆表現データとして手本データベース２５に登録される。
【００４１】
図９は運筆表現データを基にした運筆表示の一例を示す図である。ディスプレイ１７には、運筆を示す運筆表示線８１や仮想筆８３等が表示され、ユーザ３は運筆の様子を見ることができる。
【００４２】
次に、学習モードの動作について説明する。図１０は学習処理の概略を示すフローチャートである。この場合、ユーザ３は習字を学習する学習者となる。ユーザ３は、指示入力装置２１から学習モードを設定する（ステップ３０１）。
【００４３】
学習モードが設定されると、手本設定部３３は、ユーザ３からどの文字を学習したいかといった手本データを受け付け、手本データベースから相当する手本データ及び筆パラメータを設定し、登録されている手本毛筆文字データを表示装置４１に表示する（ステップ３０２）。即ち、ディスプレイ１７には師範によって登録された手本の毛筆文字や筆パラメータが表示される。
【００４４】
次に、ユーザ３はデータを参照して師範と同じ筆を同じような条件で使用し、ディスプレイ１７に表示された手本毛筆文字データをプリンタ１９で出力し参照して、筆９を用いて運筆を開始する（ステップ３０３）。このとき筆９に設けられた３次元位置センサ１１、即ち、運筆パラメータ入力装置２３は、時間毎の運筆パラメータを読み込み、パソコン５の毛筆文字処理部３５及び運筆表現処理部３７に入力する（ステップ３０４）。毛筆文字処理部３５は毛筆文字を逐次生成し、表示装置４１に表示する（ステップ３０５）。尚、表示装置４１には手本毛筆文字データを表示させてもよく、何を表示させるかはユーザ３により設定することが可能である。
【００４５】
次に、運筆が終了かどうかをユーザ３に確認し（ステップ３０６）、まだ文字生成の途中である場合、或いは複数の文字を書くなどといった場合にはステップ３０４に戻り、運筆がすべて終了するまで動作を繰り返す。ステップ３０３からステップ３０６までの動作の詳細は手本登録モードの処理ステップ１０３からステップ１０６までの処理と同じである。
【００４６】
運筆表現処理部３７は運筆表現データを作成し、比較処理部３９は手本運筆表現データと比較し、表示する（ステップ３０７）。運筆表現データの作成は手本登録モードの場合と同様に行われる。図１１は学習者であるユーザ３の運筆を示す図である。作成された運筆表現データは運筆表示線９１や仮想筆９３としてディスプレイ１７等に表示される。
【００４７】
図１２、図１３は、学習者であるユーザ３による運筆表現データと手本運筆表現データとの比較の表示例を示す図である。図１２に示すように、学習者であるユーザと手本となる師範の筆の傾き等を比較したり、図１３に示すように、学習者であるユーザと手本となる師範の運筆を視覚的に比較することができ、毛筆文字の学習に効果的である。
【００４８】
ユーザ３が更に学習したい場合（ステップ３０８）、学習文字を変更するかどうかを確認し（ステップ３０９）ステップ３０３、ステップ３０２に戻って学習を行う。
【００４９】
このように本システムを用いれば、毛筆文字の学習者は実際に硯、墨、筆を用いて文字を書き、その運筆表現データと手本運筆表現データとの比較により毛筆文字を視覚的にわかりやすく修正することができる。
【００５０】
尚、本システムの書道処理装置３１が行う処理をパソコン５に行わせるためのプログラムはＣＤ−ＲＯＭ等の記録媒体に記録して配布することが可能である。またそのプログラムはインターネット等のネットワークを介して配布することも可能である。
また、手本データベース２５に登録された手本毛筆文字データ、筆パラメータ、手本運筆表現データはＣＤ−ＲＯＭやＤＶＤ等の記録媒体に記録して配布することが可能である。
【００５１】
本システムの比較処理の結果を点数表示やランキング表示等で行うことによって、エンターテイメント向けの装置として使用することも可能である。
また、運筆表現データの表示として、静止画だけでなく、動画表示や３次元コンピュータグラフィックスとしてあらゆる角度から動きを観察して表示装置４１に表示することも可能である。
【００５２】
また、本実施の形態では、運筆開始位置を半紙１６と筆９の先が触れる時点としたが、その設定は自由に変えることができる。
また筆に墨を含ませる動作に関する手本データも追加し、学習者が筆に墨を含ませる動作から学習でき、毛筆文字のにじみやかすれの生じやすさをユーザの動作に依存させることも可能である。
【００５３】
【発明の効果】
以上、詳細に説明したように本発明によれば、毛筆文字の学習者に効果的な毛筆学習を提供することが可能となる。
【図面の簡単な説明】
【図１】書道学習支援システム１の概略構成図
【図２】書道学習支援システム１のハード構成例を示す図
【図３】手本登録処理を示す概略フローチャート
【図４】筆パラメータを示す図
【図５】運筆開始位置を示す図
【図６】筆の雫形を示す図
【図７】筆の雫形のスケーリングを示す図
【図８】筆に含まれる墨量を表現した階層モデルを示す図
【図９】手本運筆表現データの表示例を示す図
【図１０】学習処理を示す概略フローチャート
【図１１】学習者の運筆表現データの表示例を示す図
【図１２】手本運筆表現データと学習者の運筆表現データの比較を示す図
【図１３】手本運筆表現データと学習者の運筆表現データの比較を示す図
【符号の説明】
１……・・・書道学習支援システム
３………ユーザ
５………パソコン
９………筆
１１………３次元位置センサ
２１………指示入力装置
２３………運筆パラメータ入力装置
２５………手本データベース
３１………書道処理装置
３３………手本設定部
３５………毛筆文字処理部
３７………運筆表現処理部
３９………比較処理部
４１………表示装置
【図１】
2004205963.tif 000003
【図２】
2004205963.tif 000004
【図３】
2004205963.tif 000005
【図４】
2004205963.tif 000006
【図５】
2004205963.tif 000007
【図６】
2004205963.tif 000008
【図７】
2004205963.tif 000009
【図８】
2004205963.tif 000010
【図９】
2004205963.tif 000011
【図１０】
2004205963.tif 000012
【図１１】
2004205963.tif 000013
【図１２】
2004205963.tif 000014
【図１３】
2004205963.tif 000015